(57)【要約】【課題】電線に損傷を与えることなく、電線をリセプタクルに挿入、取り外すことができる電気コンタクトを提供する。【解決手段】電気コネクタは、内部に電線を受容するよう構成されたリセプタクルを有するハウジングを具備する。電気コンタクトはハウジングにより保持される。電気コンタクトは、電線と係合するよう構成されたワイヤインタフェースを有するコンタクトビームを有する。コンタクトビームは、閉位置及び開位置間を移動可能である。ワイヤインタフェースは、コンタクトビームが閉位置に位置すると電線と係合するよう構成される。ワイヤインタフェースは、コンタクトビームが開位置に位置すると電線を係合解除するよう構成される。電気コネクタは、弾性的に撓むことができるばねを有する押しボタンアクチュエータを具備する。ばねは、コンタクトビームと摺動可能に係合することによりコンタクトビームを閉位置から開位置に移動させるよう構成される。【選択図】図６
2014165181.tif 000002
【特許請求の範囲】
【請求項１】
内部に電線を受容するよう構成されたリセプタクルを有するハウジングと、該ハウジングにより保持され、前記電線と係合するよう構成されたワイヤインタフェースを有するコンタクトビームを有する電気コンタクトと、弾性的に撓むことができるばねを有する押しボタンアクチュエータとを具備する電気コネクタであって、
前記コンタクトビームは、閉位置及び開位置間を移動可能であり、
前記ワイヤインタフェースは、前記コンタクトビームが閉位置に位置すると前記電線と係合するよう構成され、
前記ワイヤインタフェースは、前記コンタクトビームが開位置に位置すると前記電線を係合解除するよう構成され、
前記ばねは、前記コンタクトビームと摺動可能に係合することにより前記コンタクトビームを閉位置から開位置に移動させるよう構成されることを特徴とする電気コネクタ。
【請求項２】
前記ばねは、前記コンタクトビームと摺動可能に係合し前記コンタクトビームを閉位置から開位置に移動させるよう構成された楔を具備することを特徴とする請求項１記載の電気コネクタ。
【請求項３】
前記コンタクトビームは第１コンタクトビームであり、
前記ワイヤインタフェースは第１ワイヤインタフェースであり、
前記電気コンタクトは、前記第１ワイヤインタフェースに対向する第２ワイヤインタフェースを有する第２コンタクトビームを具備し、
前記第１コンタクトビーム及び前記第２コンタクトビームは、それらの間に前記押しボタンアクチュエータの前記ばねを受容し、前記ばねが前記第１コンタクトビーム及び前記第２コンタクトビームと摺動可能に係合すると互いに離れる向きに前記第１コンタクトビーム及び前記第２コンタクトビームを広げるよう構成されていることを特徴とする請求項１記載の電気コネクタ。
【請求項４】
前記ハウジングの前記リセプタクルは、挿入軸に沿って内部に前記電線を受容するよう構成され、
前記押しボタンアクチュエータの前記ばねは、前記挿入軸と平行でない駆動方向に沿って前記コンタクトビームと摺動可能に係合するよう構成されていることを特徴とする請求項１記載の電気コネクタ。
【請求項５】
前記電気コンタクトの前記コンタクトビームは、電線側及び反対側を有し、
前記電線側は、前記コンタクトビームの前記ワイヤインタフェースを有し、
前記押しボタンアクチュエータは、前記コンタクトビームの前記反対側と物理的接触状態で係合するばねビームを具備することを特徴とする請求項１記載の電気コネクタ。
【請求項６】
前記コンタクトビームは第１コンタクトビームであり、
前記ワイヤインタフェースは第１ワイヤインタフェースであり、
前記電気コンタクトは、前記第１ワイヤインタフェースに対向する第２ワイヤインタフェースを有する第２コンタクトビームを具備し、
前記押しボタンアクチュエータは、第１ばねビーム及び第２ばねビームを有し、
前記第１コンタクトビーム及び前記第２コンタクトビームは、該第１及び第２のコンタクトビームが前記第１ばねビーム及び前記第２ばねビームとそれぞれ物理的接触状態で係合するように、該第１及び第２のばねビームの間に受容されることを特徴とする請求項１記載の電気コネクタ。
【請求項７】
前記押しボタンアクチュエータは、前記電気コンタクトと一体に形成されることを特徴とする請求項１記載の電気コネクタ。
【請求項８】
前記押しボタンアクチュエータは、前記電気コンタクトとは独立した部品であることを特徴とする請求項１記載の電気コネクタ。
【請求項９】
前記押しボタンアクチュエータは、前記電気コンタクトとは独立した部品であり、
前記ばねは、前記電気コンタクトの前記コンタクトビームとは異なる材料からなることを特徴とする請求項１記載の電気コネクタ。
【請求項１０】
前記押しボタンアクチュエータの前記ばねは、前記コンタクトビームに沿って前記ばねを摺動するために押圧されるよう構成された押しボタンを具備し、
前記押しボタンは、前記ハウジングの窓を通って露出することを特徴とする請求項１記載の電気コネクタ。
【請求項１１】
前記ばねは、その中立休止位置から撓んで前記コンタクトビームに沿って摺動するよう構成されていることを特徴とする請求項１記載の電気コネクタ。
【請求項１２】
前記電気コンタクトの前記コンタクトビームは、前記ワイヤインタフェースを有する電線側を具備し、
前記押しボタンアクチュエータの前記ばねは、前記コンタクトビームの前記電線側の縁と摺動可能に係合するよう構成されていることを特徴とする請求項１記載の電気コネクタ。
【請求項１３】
前記ばねは、該ばねの駆動面で前記コンタクトビームと係合し、
前記駆動面は、前記ばねが該ばねの中立休止位置から撓まないときに前記コンタクトビームと物理的接触から係合解除されることを特徴とする請求項１記載の電気コネクタ。
【発明の詳細な説明】
【技術分野】
【０００１】
本発明はポークインワイヤコンタクトを有する電気コネクタに関する。
【背景技術】
【０００２】
電気コネクタの中には電線を終端接続するものがある。このような電気コネクタは、電線と係合して電線との間に電気接続部を形成する電気コンタクトを具備する。電線を終端接続する、電気コネクタの電気コンタクトは、ポークインワイヤコンタクトである。ポークインワイヤコンタクトは、電気コネクタのリセプタクル内に延びるワイヤインタフェースを有する。電線は、ポークインワイヤコンタクトと係合することによりポークインワイヤコンタクトと電気接続部を形成するように、リセプタクル内に挿入、すなわちポークインされる。
【発明の概要】
【発明が解決しようとする課題】
【０００３】
ポークインワイヤコンタクトには欠点が無い訳ではない。例えば、状況によっては、製品試験、検査、交換や、電気コネクタの修理を容易にするために、電線がリセプタクルから取り外される。しかし、電線やポークインワイヤコンタクトに損傷を与えることなく、電線をポークインワイヤコンタクトから解放して電線をリセプタクルから取り外すことは困難である。電線やポークインワイヤコンタクトへの損傷は、電線やポークインワイヤコンタクトの不要な修理や交換を要し、電気コネクタのコストが増大させてしまう。
【０００４】
また、少なくともいくつかの公知のポークインワイヤコンタクトは、コンタクトから電線を解放する特殊専用工具を要する。特殊専用工具は、現場では容易に入手できないので、使用することができない。その代わり、作業者が電線をポークインワイヤコンタクトから解放するよう設計されていない別の工具を用いることがあるが、これは電気コネクタを損傷させるおそれがある。
【０００５】
いくつかの公知の電気コネクタのハウジングは、ポークインワイヤコンタクトを押圧して電線をポークインワイヤコンタクトから解放する可撓部材を具備する。しかし、ハウジングのプラスチック材料又は同様の材料は、電気コネクタが半田リフロー工程の熱に晒されると脆弱になり、可撓部材を損傷するおそれがある。例えば、半田リフロー工程からの熱は、可撓部材の弾性域を減少させたり、可撓部材に破砕、破損等を引き起こしたりする。損傷により、可撓部材はポークインワイヤコンタクトを十分に押すことができず、電線をポークインワイヤコンタクトから解放不能にする。
【課題を解決するための手段】
【０００６】
課題を解決する手段は、内部に電線を受容するよう構成されたリセプタクルを有するハウジングを具備する電気コネクタにより提供される。電気コンタクトはハウジングにより保持される。電気コンタクトは、電線と係合するよう構成されたワイヤインタフェースを有するコンタクトビームを有する。コンタクトビームは、閉位置及び開位置間を移動可能である。ワイヤインタフェースは、コンタクトビームが閉位置に位置すると電線と係合するよう構成される。ワイヤインタフェースは、コンタクトビームが開位置に位置すると電線を係合解除するよう構成される。電気コネクタは、弾性的に撓むことができるばねを有する押しボタンアクチュエータを具備する。ばねは、コンタクトビームと摺動可能に係合することによりコンタクトビームを閉位置から開位置に移動させるよう構成される。
【図面の簡単な説明】
【０００７】
【図１】本発明の典型的な一実施形態に係る電気コネクタの斜視図である。
【図２】図１に示された電気コネクタの一実施形態に係る電気コンタクトの斜視図である。
【図３】図２に示された電気コンタクトを別の角度から見た斜視図である。
【図４】図１に示された電気コネクタの典型的な一実施形態の押しボタンの斜視図である。
【図５】図１に示された電気コネクタの一部を断面した斜視図である。
【図６】図１及び図５に示された電気コネクタの一部を示す斜視図である。
【図７】図４に示された典型的な一実施形態の押しボタンが撓んだ状態を示す、図１、図５及び図６に示された電気コネクタの一部を断面した斜視図である。
【図８】電気コネクタの電気コンタクトに取り付けられた電線を示す、図１及び図５ないし図７に示された電気コネクタの一部を断面した斜視図である。
【図９】電線が電気コンタクトから取り外すことができる電気コンタクトの開位置を示す、図１及び図５ないし図８に示された電気コネクタの一部の断面図である。
【図１０】図１及び図５ないし図９に示された電気コネクタに使用できる別の典型的な実施形態に係る電気コンタクトの斜視図である。
【図１１】図１０に示された電気コンタクトを別の角度から見た斜視図である。
【発明を実施するための形態】
【０００８】
以下、添付図面を参照して本発明を例示により説明する。
【０００９】
一実施形態において、電気コネクタは、内部に電線を受容するよう構成されたリセプタクルを有するハウジングを具備する。電気コンタクトはハウジングにより保持される。電気コンタクトは、電線と係合するよう構成されたワイヤインタフェースを有するコンタクトビームを有する。コンタクトビームは、閉位置及び開位置間を移動可能である。ワイヤインタフェースは、コンタクトビームが閉位置に位置すると電線と係合するよう構成される。ワイヤインタフェースは、コンタクトビームが開位置に位置すると電線を係合解除するよう構成される。電気コネクタは、弾性的に撓むことができるばねを有する押しボタンアクチュエータを具備する。ばねは、コンタクトビームと摺動可能に係合することによりコンタクトビームを閉位置から開位置に移動させるよう構成される。
【００１０】
別の実施形態において、電気コネクタは、内部に電線を受容するよう構成されたリセプタクルを有するハウジングを具備する。電気コンタクトはハウジングにより保持される。電気コンタクトは、電線と係合するよう構成されたワイヤインタフェースを有するコンタクトビームを有する。コンタクトビームは、閉位置及び開位置間を移動可能である。ワイヤインタフェースは、コンタクトビームが閉位置に位置すると電線と係合するよう構成される。ワイヤインタフェースは、コンタクトビームが開位置に位置すると電線を係合解除するよう構成される。電気コネクタは、ばねを有する押しボタンアクチュエータを具備する。ばねは、弾性的に撓むことにより、ばね及びコンタクトビームの摺動可能に係合がコンタクトビームを閉位置から開位置に移動させるように、コンタクトビームに対して移動するよう構成される。
【００１１】
別の実施形態において、電気コネクタは、内部に電線を受容するよう構成されたリセプタクルを有するハウジングを具備する。電気コンタクトはハウジングにより保持される。電気コンタクトは、電線と係合するよう構成されたワイヤインタフェースを有するコンタクトビームを有する。コンタクトビームは、電線側及び反対側を有する。電線側は、コンタクトビームのワイヤインタフェースを有する。コンタクトビームは、閉位置及び開位置間を移動可能である。ワイヤインタフェースは、コンタクトビームが閉位置に位置すると電線と係合するよう構成される。ワイヤインタフェースは、コンタクトビームが開位置に位置すると電線を係合解除するよう構成される。電気コネクタは、弾性的に撓むことができるばね及びばねビームを有する押しボタンアクチュエータを具備する。ばねは、コンタクトビームに摺動可能に係合することにより、コンタクトビームを閉位置から開位置に移動させるよう構成される。ばねビームは、コンタクトビームを閉位置に付勢するために、コンタクトビームの反対側と物理的に接触した状態で係合する。
【００１２】
図１は、本発明の典型的な一実施形態に係る電気コネクタ１０の斜視図である。電気コネクタ１０は、１本以上の電線１２と電気接続するよう構成される。複数の電線１２は、１本のケーブル（図示せず）内に一緒にされてもよいし、されなくてもよい。典型的な一実施形態において、電気コネクタ１０は、電線１２及び基板１４間に電気経路を提供するために基板１４に実装される。他の実施形態において、電気コネクタ１０は、電線１２及び別の電線間に電気経路を形成するために１本以上の他の電線（図示せず）を終端接続してもよい。別の電線は、１本のケーブル（図示せず）内に一緒にされてもよいし、されなくてもよい。基板１４は、回路基板等の任意のタイプの基板であってもよいが、それに限定されない。
【００１３】
電気コネクタ１０は、ハウジング１６と、１個以上の電気コンタクト１８（図２及び図３によりよく示される）とを具備する。電気コンタクト１８はポークインコンタクトである。例えば、ハウジング１６は１個以上のリセプタクル２０を有する。電気コンタクト１８はリセプタクル２０内に保持される。各リセプタクル２０は、対応する電線１２を内部に受容するよう構成される。具体的には、リセプタクル２０は、電線１２が挿入される入口２２を有する。言い換えると、電線１２は、入口２２を通ってリセプタクル２０内に挿入すなわちポークインされる。各リセプタクル２０は、対応する電線１２を挿入軸２４に沿って内部に受容する。複数の電線１２がリセプタクル２０内に一旦挿入されると、各電線１２は対応する電気コンタクト１８に係合することにより電気コンタクト１８に電気接続し、電気コネクタ１０及び電線１２間に電気接続部を形成する。
【００１４】
以下に説明されるように、電気コンタクト１８は、ワイヤインタフェース２８（図２、図３、図７ないし図９参照）を有するコンタクトビーム２６（図２、図３、図５ないし図９参照）を有する。コンタクトビーム２６は、開位置及び閉位置間を移動可能である。閉位置において、ワイヤインタフェース２８は、対応する電線１２と係合するよう構成される。開位置において、ワイヤインタフェース２８は、対応する電線１２から係合解除されるよう構成される。コンタクトビーム２６を閉位置から開位置に移動させて電線１２をリセプタクル２０から取り外すことを可能にするために、押しボタンアクチュエータ３０が設けられる。任意であるが、押しボタンアクチュエータ３０は、リセプタクル２０内に電線１２を挿入するために、閉位置から開位置までコンタクトビーム２６を移動するのに用いられる。以下に詳細に説明されるように、各押しボタンアクチュエータ３０は弾性的に撓むことができるばね３２を有し、可撓ばね３２は、対応する電気コンタクト１８のコンタクトビーム２６と摺動可能に係合することによりコンタクトビーム２６を閉位置から開位置に移動させるよう構成される。各押しボタンアクチュエータ３０のばね３２は、対応する電気コンタクト１８のコンタクトビーム２６に沿ってばね３２を摺動させるために押圧されるよう構成された押しボタン３４を有する。図１に見られるように、押しボタン３４は、ハウジング１６の対応する窓３６を通して露出する。
【００１５】
電気コネクタ１０は、押しボタンアクチュエータ３０の数が電気コンタクト１８の数と同じかどうかにかかわらず、任意の数の電気コンタクト１８と摺動可能に係合するために任意の数の押しボタンアクチュエータ３０を有してもよい。２個の押しボタン３４を露出させる２個の窓３６が図示されているが、ハウジング１６は、窓３６の数が押しボタン３４の数と同じかどうかにかかわらず、任意の数の押しボタン３４を露出する任意の数の窓３６を有してもよい。例えば、他の典型的な一実施形態において、ハウジング１６は、２個以上の押しボタン３４を露出させる単一の窓３６を有してもよい。
【００１６】
２個のリセプタクル２０が図示されているが、ハウジング１６は、任意の数の電線１２を受容する任意の数のリセプタクル２０を有してもよい。各リセプタクル２０は、任意の数の電線１２を内部に受容してもよい。典型的な実施形態において、各リセプタクル２０は、対応する単一の電線１２を内部に受容する。明確化のために、１本の電線１２のみが図１に示される。ハウジング１６は、任意の数の電気コンタクト１８を保持してもよい。典型的な実施形態において、ハウジング１６は４個の電気コンタクト１８を保持する。各リセプタクル２０は、任意の数の電気コンタクト１８を内部に保持してもよい。典型的な実施形態において、各リセプタクル２０は、対応する単一の電気コンタクト１８を保持する。各電気コンタクト１８は、任意の数の電線１２と係合することで任意の数の電線１２に電気接続してもよい。典型的な実施形態において、各電気コンタクト１８は、対応する単一の電線１２と係合する。
【００１７】
図２及び図３は、典型的な一実施形態の電気コンタクト１８を示す斜視図である。電気コンタクト１８は、基部３８と、１本以上のコンタクトビーム２６とを有する。コンタクトビーム２６は基部３８から延びる。各コンタクトビーム２６は、一端４０から他端４２まで所定長さで延びる。コンタクトビーム２６は、内面４４と、内面４４とは逆側の外面４６と、端面４８とを有する。端面４８は、縁５０で内面４４と交差する。縁５０は、内面４４の一部や端面４８の一部を構成してもよい。言い換えると、内面４４や端面４８は、縁５０を有するものと考えてもよい。端面４８は、縁５２で外面４６と交差する。各コンタクトビーム２６の他端４２は、縁５０，５２、端面４８、縁５０に隣接して延びる内面４４の一部、及び縁５２に隣接して延びる外面４６の一部を有する。内面４４は「電線側」と称されるのに対し、外面４６は「反対側」と称されることがある。
【００１８】
また、コンタクトビーム２６は、ばね３２がコンタクトビーム２６と摺動可能に係合する駆動面５１を有する。駆動面５１は、コンタクトビーム２６の内面４４及び縁面５３間を延びる縁である。駆動面５１は、内面４４の縁や縁面５３を構成してもよい。典型的な実施形態において、各駆動面５１は、対応するコンタクトビーム２６の内面４４及び縁面５３間を延びる丸みを帯びた縁を画定する丸みを帯びた面である。或いは、一方又は双方の駆動面５１は、内面４４及び縁面５３間を延びるほぼ平坦縁を画定するほぼ平坦面である。他の実施形態において、一方又は双方の駆動面５１は、内面４４及び縁面５３間を延びる先鋭縁を画定する先鋭（すなわち鋭利な）面であってもよい。駆動面５１は、図示されるコンタクトビーム２６の長さに沿った位置に限定されない。その代り、駆動面５１は、図示や説明されているように駆動面５１が機能できるようにするコンタクトビーム２６の長さに沿った他の位置にあってもよい。
【００１９】
コンタクトビーム２６は、対応する電線１２（図１、図８及び図９参照）と係合することでコンタクトビーム２６が電気コンタクト１８及び対応する電線１２間に電気接続部を形成するよう構成されたワイヤインタフェース２８を有する。各コンタクトビーム２６に対して、ワイヤインタフェース２８はが対応する電線１２と係合する際に、ワイヤインタフェース２８は対応する電線１２を押圧してもしなくてもよい。典型的な実施形態において、各コンタクトビーム２６のワイヤインタフェース２８は、縁５０により少なくとも部分的に区画される。言い換えると、典型的な実施形態において、ワイヤインタフェース２８は縁５０を有する。また、縁５０に隣接する端面４８の一部や縁５０に隣接する内面４４の一部は、例えばコンタクトビーム２６が対応する電線１２を押圧する実施形態では、対応する電線１２と係合する。言い換えると、いくつかの実施形態では、ワイヤインタフェース２８は、縁５０に隣接する端面４８の一部や縁５０に隣接する内面４４の一部を有する。縁５０に加えて又は縁５０に代えて、縁５０に隣接する端面４８の一部、縁５０に隣接する内面４４の一部やコンタクトビーム２６に沿った他の位置は、コンタクトビーム２６のワイヤインタフェース２８の一部又は全体を区画する。
【００２０】
典型的な実施形態において、電気コンタクト１８は、２本のコンタクトビーム２６すなわちコンタクトビーム２６ａ，２６ｂを有する。しかし、電気コンタクト１８は任意の数のコンタクトビーム２６を有してもよい。例えば、他の実施形態において、電気コンタクト１８は単一のコンタクトビーム２６（例えばコンタクトビーム２６ａ又はコンタクトビーム２６ｂ）を有する。コンタクトビーム２６ａ，２６ｂの内面４４は互いに対向する。コンタクトビーム２６ａ，２６ｂは、互いに対向するワイヤインタフェース２８ａ，２８ｂをそれぞれ有する。典型的な実施形態において、対応する電線１２は、コンタクトビーム２６ａ，２６ｂのワイヤインタフェース２８ａ，２８ｂ間に受容され固定されるよう構成される。ワイヤインタフェース２８ａやワイヤインタフェース２８ｂが対応する電線１２を押圧する実施形態では、対応する電線１２は、コンタクトビーム２６ａ，２６ｂのワイヤインタフェース２８ａ，２８ｂ間にそれぞれ押し付けられる。本明細書では、各コンタクトビーム２６ａ，２６ｂは「第１」コンタクトビームや「第２」コンタクトビームと称することがある。本明細書では、ワイヤインタフェース２８ａ，２８ｂはそれぞれ「第１」ワイヤインタフェースや「第２」ワイヤインタフェースと称することがある。
【００２１】
各コンタクトビーム２６は、開位置及び一つ以上の閉位置間を移動可能である。具体的には、各コンタクトビーム２６ａ，２６ｂは、開位置及び一つ以上の閉位置間を円弧Ａ及び円弧Ｂに沿って移動可能である。図７及び図８は、コンタクトビーム２６ａ，２６ｂの開位置を示す。開位置では、コンタクトビーム２６は、対応する電線１２から係合解除されるよう構成される。具体的には、コンタクトビーム２６のワイヤインタフェース２８は、コンタクトビーム２６が開位置に位置する際に、対応する電線１２から係合解除されるよう構成される。少なくとも一つの閉位置では、コンタクトビーム２６は、ワイヤインタフェース２８で対応する電線１２と係合するよう構成される。
【００２２】
典型的な実施形態において、各コンタクトビーム２６は、対応する電線１２が無いときの完全な閉位置と、コンタクトビーム２６が対応する電線１２と係合するときの部分的閉位置とを有する。コンタクトビーム２６ａ，２６ｂは、図２、図３、図５及び図６では完全な閉位置で図示される。図８は、コンタクトビーム２６ａ，２６ｂの部分的な閉位置を示す。各コンタクトビーム２６は、対応する電線１２を収容するために、完全な閉位置から部分的な閉位置に移動可能である。各コンタクトビーム２６は、部分的な閉位置から開位置にさらに移動可能である。言い換えると、各コンタクトビーム２６は、完全な閉位置から開位置まで移動可能である。他の実施形態において、１本以上のコンタクトビーム２６は、完全な閉位置に位置する際に対応する電線１２と係合するよう構成される。
【００２３】
図２及び図３に見られるように、典型的な実施形態において、各コンタクトビーム２６ａ，２６ｂのワイヤインタフェース２８ａ，２８ｂは、コンタクトビーム２６ａ，２６ｂが完全な閉位置に位置する際に互いに係合しない。しかし、他の実施形態では、ワイヤインタフェース２８ａ，２８ｂは、コンタクトビーム２６ａ，２６ｂがそれぞれ完全な閉位置に位置する際に互いに係合してもよい。
【００２４】
コンタクトビーム２６の開位置は、対応する電線１２の寸法に依存することを理解されたい。例えば、小寸法の電線１２に関して開いた（コンタクトビーム２６が対応する電線１２と係合しない）コンタクトビーム２６の位置は、大寸法の電線１２に関して閉じている（コンタクトビーム２６は対応する電線１２と係合する）。コンタクトビーム２６の開位置は、コンタクトビーム２６の移動域の端にあってもなくてもよい。言い換えると、コンタクトビーム２６は、部分的な閉位置から開位置に移動すると、コンタクトビーム２６がその移動域の端に到達する前に対応する電線１２と係合解除してもしなくてもよい。例えば、コンタクトビーム２６の開位置は、その撓み範囲や弾性範囲の端にあってもなくてもよい。
【００２５】
任意であるが、１本以上のコンタクトビーム２６は、完全な閉位置から開位置まで弾性的に撓み得るばねである。各コンタクトビーム２６ａ，２６ｂの典型的な実施形態は、完全な閉位置から開位置まで弾性的に撓み得るばねである。言い換えると、コンタクトビーム２６ａ，２６ｂは各々、円弧Ａ，Ｂに沿って各向きＣ，Ｄに弾性的に撓み得る。このため、コンタクトビーム２６ａ，２６ｂは各々、完全な閉位置から部分的な閉位置まで、及び部分的な閉位置から開位置まで弾性的に撓み得る。他の実施形態では、コンタクトビーム２６ａ，２６ｂは、弾性的に撓むことなく閉位置から開位置まで移動可能である。
【００２６】
典型的な実施形態において、基部３８は、例えば図１に示されるように、基板１４（図１参照）のコンタクトパッド５６（図１参照）に実装された表面となるように構成された１個以上の表面実装テール５４を有する。表面実装テール５４に加えて又は代えて、電気コンタクト１８の基部３８や１個以上の他の部分は、基板１４の電気バイア（図示せず）に圧入されるよう構成された圧入テール（図示せず）、基板１４の開口（例えば電気バイア）内に受容されるよう構成された半田テール（図示せず）、電線を終端接続するよう構成された構造等の１個以上の他の実装構造を有してもよいが、これらに限定されない。電気コンタクト１８は、１個のみが図示されるが、任意の数の実装構造（例えば、任意の数の表面実装テール５４）を有してもよい。
【００２７】
電気コンタクト１８は、ハウジング１６（図１及び図５ないし図９参照）の対応するリセプタクル２０（図１、図５、図７及び図９参照）内に電気コンタクト１８を保持する１個以上の保持構造を有する。典型的な実施形態において、コンタクトビーム２６は、圧入でハウジング１６の対応する空所（図示せず）内に受容されるよう構成されたエンボス５６を有する。また、電気コンタクト１８は、典型的な実施形態で基部３８から延びる逆刺付き脚５８を有する。逆刺付き脚５８は、対応するリセプタクル２０内に電気コンタクト１８を保持するために圧入でハウジング１６と係合するよう構成された逆刺６０を有する。エンボス５６や逆刺付き脚５８に加えて又は代えて、電気コンタクト１８は、ハウジング１６に電気コンタクト１８をつなぐためのスナップ嵌め構造（図示せず）、開口（図示せず）等の、対応するリセプタクル２０内に電気コンタクト１８を保持する１個以上の他の構造を有してもよいが、それらには限定されない。エンボス５６及び逆刺付き脚５８は、電気コンタクト１８に沿った他の位置にあってもよい。電気コンタクト１８は、任意の数のエンボス５６及び任意の数の逆刺付き脚５８を有してもよい。
【００２８】
図４は、典型的な一実施形態に係る押しボタンアクチュエータ３０の斜視図である。押しボタンアクチュエータ３０は、基部６２及びばね３２を有する。ばね３２は、基部６２からばね３２の一端６４まで所定長さで外方へ延びる。典型的な実施形態において、ばね３２の一端６４は楔６６を有する。楔６６は、互いに対向する広い面６８，７０と、広い面６８，７０の間に延びる縁面７２，７４とを有する。以下に説明するように、楔６６は、対応する電気コンタクト１８（図１ないし図３及び図５ないし図９参照）のコンタクトビーム２６（図２、図３、図５ないし図９参照）と摺動可能に係合し、コンタクトビーム２６を部分的な閉位置から開位置に移動させることで、対応する電線１２が対応する電気コンタクト１８から取り除かれすなわち取り外されるよう構成される。また、楔６６は、対応する電気コンタクト１８のコンタクトビーム２６と摺動可能に係合し、コンタクトビーム２６を完全な閉位置から開位置まで移動させることで、対応する電線１２が対応する電気コンタクト１８に取り付けることができるようにするよう構成される。ばね３２は「アクチュエータ」と称されることもある。
【００２９】
縁面７２，７４は、楔６６が電気コンタクト１８のコンタクトビーム２６と摺動可能に係合するばね３２の駆動面を画定する。具体的には、楔６６の縁面７２はコンタクトビーム２６の駆動面５１（図２、図３、図６及び図７参照）と摺動可能に係合するのに対し、縁面７４はコンタクトビーム２６の駆動面５１と摺動可能に係合する。電気コンタクト１８が１本のコンタクトビーム２６のみを有する実施形態において、１個の縁面７２又は７４のみがコンタクトビーム２６と摺動可能に係合することを理解されたい。縁６６は、ばね３２の一端６４に配置されることに限定されない。代わりに、楔６６は、本明細書で説明されるように楔６６が機能できるようにするばね３２の長さに沿った他の位置にあってもよい。
【００３０】
ばね３２は、その中立休止位置から弾性的に撓むことができる。具体的には、ばね３２の一端６４は、駆動方向Ｆの円弧Ｅに沿って弾性的に撓むことができる。ばね３２は、図４では中立休止位置で図示される。以下に説明するように、駆動方向Ｆのばね３２の撓みは、係合状態でコンタクトビーム２６に沿ってばね３２の楔６６と摺動する。言い換えると、楔６６及びコンタクトビーム２６は、ばねの一端６４が駆動方向Ｆに撓むと、互いに摺動可能に係合する。
【００３１】
ばね３２の押しボタン３４は、駆動方向Ｆにばね３２を撓め、コンタクトビーム２６に沿ってばね３２を摺動させるために用いられる。押しボタン３４は、ばね３２の一端６４に配置されるものとして図示されているが、本明細書で説明されたように押しボタン３４が機能できるようにするばね３２の長さに沿った他の位置にあってもよい。いくつかの実施形態において、図１を再度参照すると、押しボタン３４及び窓３６は、押しボタン３４を押して駆動方向Ｆにばね３２を撓めるために特殊専用工具を必要としないように、構成される（例えば、寸法、形状、位置等が設定される）。例えば、使用者は、従来の工具（例えば、鉛筆、ペン、ワイヤ、棒等）、体の一部（例えば、人の指、親指等）等を用いて押しボタン３４を押すことでばね３２を撓める。
【００３２】
図４を再度参照すると、押しボタンアクチュエータ３０は、基部６２から延びる１本以上のばねビーム７６を有する。各ばねビーム７６は、基部６２からばねビーム７６の一端７８まで外方へ所定長さで延びる。典型的な実施形態において、押しボタンアクチュエータ３０は、２本のばねビーム７６、すなわちばねビーム７６ａ，７６ｂを有する。ばねビーム７６ａ，７６ｂの内面８０は互いに対向する。各ばねビーム７６ａ，７６ｂは、「第１」ばねビームや「第２」ばねビームと称されることがある。
【００３３】
各ばねビーム７６ａ，７６ｂは、ばねビーム７６の中立休止位置から弾性的に撓み得る。具体的には、ばねビーム７６ａ，７６ｂの端部７８は、各向きＩ，Ｊに各円弧Ｇ，Ｈに沿って弾性的に撓み得る。ばねビーム７６ａ，７６ｂは、図４に中立休止位置で示される。
【００３４】
以下に説明されるように、ばねビーム７６ａ，７６ｂは、コンタクトビーム２６ａ，２６ｂと物理的に接触した状態でそれぞれ係合し、コンタクトビーム２６により与えられる保持力を増大させるよう構成される。押しボタンアクチュエータ３０は、２個図示されているが、任意の数のばねアーム７６を有してもよく、電気コンタクト１８のコンタクトビーム２６の数と同じであってもなくてもよい。
【００３５】
押しボタンアクチュエータ３０及び電気コンタクト１８は、各々任意の材料から作製されてもよい。電気コンタクト１８の材料の例として、銅、金、銀、アルミニウム、ニッケル、プラチナ等の導電性材料が挙げられるが、これらに限定されない。任意であるが、電気コンタクト１８は、１以上の異なる材料でコーティング（例えばめっき等）された基材（図示せず）を有してもよい。押しボタンアクチュエータ３０の材料の例として、鋼、ステンレス鋼、銅、金、銀、アルミニウム、ニッケル、プラチナ、マグネシウム等が挙げられるが、これらに限定されない。任意であるが、押しボタンアクチュエータ３０は、１以上の異なる材料でコーティング（例えばめっき等）された基材（図示せず）を有してもよい。
【００３６】
押しボタンアクチュエータ３０は任意の導電性材料からなっていてもなっていなくてもよい。実施形態によっては、押しボタンアクチュエータ３０は１以上の金属材料から作製される。例えば、ばね３２は１以上の金属材料から作製されてもよい。押しボタンアクチュエータ３０のばね３２や他の部分を１以上の金属材料から作製することは、半田リフロー作業の際に熱によるばね３２の損傷を防止することを容易にする。
【００３７】
実施形態によっては、押しボタンアクチュエータ３０は、電気コンタクト１８と異なる１以上の材料から作製される。例えば、押しボタンアクチュエータ３０のばねビーム７６は、電気コンタクト１８のコンタクトビーム２６よりも大きな引張降伏強度を有する押しボタンアクチュエータ３０のばねビーム７６を提供するよう、電気コンタクト１８のコンタクトビーム２６と異なる１以上の材料から作製されてもよい。
【００３８】
押しボタンアクチュエータ３０は、ハウジング１６（図１及び図５ないし図９参照）の対応するリセプタクル２０（図１、図５、図７及び図９参照）内で押しボタンアクチュエータ３０を保持する１個以上の保持構造を有する。典型的な実施形態において、基部６２は、対応するリセプタクル２０内で押しボタンアクチュエータ３０を保持するために圧入でハウジング１６と係合するよう構成された逆刺８２を有する。逆刺８２に加えて又は代えて、押しボタンアクチュエータ３０は、押しボタンアクチュエータ３０をハウジング１６につなぐスナップ嵌め構造（図示せず）、開口（図示せず）等の、対応するリセプタクル２０内に押しボタンアクチュエータ３０を保持するための１個以上の他の構造を有してもよいが、これらに限定されない。各逆刺８２は、押しボタンアクチュエータ３０に沿った任意の他の位置にあってもよい。押しボタンアクチュエータ３０は、任意の数の逆刺８２を有してもよい。典型的な実施形態において、押しボタンアクチュエータ３０は、基部６２から互いに逆向きの外方へ延びる２個の逆刺８２を有する。
【００３９】
図５は、電気コネクタ１０の一部を断面した斜視図である。図５は、電線１２が取り付けられていない状態のハウジング１６により保持された押しボタンアクチュエータ３０及び電気コネクタ１８を示す。具体的には、押しボタンアクチュエータ３０及び電気コンタクト１８の双方は、ハウジング１６の対応するリセプタクル２０内で保持される。図２ないし図５から明白であるように、押しボタンアクチュエータ３０及び電気コンタクト１８は、互いに物理的に接触した状態で係合する、互いに独立した部品である。従って、押しボタンアクチュエータ３０のばね３２（図５に不図示）は、電気コンタクト１８とは独立した部品である。或いは、押しボタンアクチュエータ３０は、電気コンタクト１８と一体に形成されてもよい。
【００４０】
押しボタンアクチュエータ３０のばねビーム７６ａ，７６ｂの内面８０は、それぞれ電気コンタクト１８のコンタクトビーム２６ａ，２６ｂの外面４６と物理的に接触した状態で係合する。典型的な実施形態において、コンタクトビーム２６ａ，２６ｂは、図５に見られるように、ばねビーム７６ａ，７６ｂ間に受容され係合する。以下に説明されるように、ばねビーム７６ａ，７６ｂは、部分的閉位置及び完全閉位置へのコンタクトビーム２６ａ，２６ｂの付勢を増大させることで、コンタクトビーム２６ａ，２６ｂが電線１２に及ぼす保持力を増大させるよう構成される。コンタクトビーム２６ａ，２６ｂは、図５では完全閉位置で示される。
【００４１】
図６は、電気コネクタ１０の一部の斜視図である。図６は、電線１２（図１、図８及び図９参照）が取り付けられていない状態のハウジング１６により保持された押しボタンアクチュエータ３０及び電気コネクタ１８を示す。電気コネクタ１０のハウジング１６は、明確化のために図６では破線で示される。図６において、押しボタンアクチュエータ３０のばね３２の一端６４は、ばね３２の中立休止位置から撓んでいない状態で示される。言い換えると、図６は、ばね３２の中立休止位置のばね３２を示す。典型的な実施形態において、ばね３２の楔６６の縁面７２，７４は、ばね３２が図６に見られるように中立休止位置にあるときにコンタクトビーム２６ａ，２６ｂの駆動面５１と物理的に接触した状態で係合する。或いは、ばね３２の楔６６の縁面７２，７４は、ばね３２が中立休止位置にあるときにコンタクトビーム２６ａ，２６ｂの駆動面５１と物理的に接触した状態から係合解除される。
【００４２】
上述したように、ばね３２は、中立休止位置から駆動方向Ｆに撓み、楔６６をコンタクト１８のコンタクトビーム６に摺動可能に係合させることで、コンタクトビーム２６を完全閉位置又は部分的閉位置から開位置に移動させる。図６に見られるように、駆動方向Ｆは挿入軸２４と平行ではない。実施形態（例えば、ばね３２の一端６４が円弧Ｅに沿う代わりに直線方向に撓む実施形態）によっては、駆動方向Ｆは、挿入軸２４とほぼ直交する。
【００４３】
コンタクトビーム２６ａ，２６ｂは、図６では完全閉位置で示される。ばね３２の端部３２は、駆動方向Ｆに沿って撓むことができ、コンタクトビーム２６ａ，２６ｂを完全閉位置から開位置に移動させる。ばね３２の楔６６が駆動方向Ｆに沿って撓むと、楔６６の縁面７２，７４は、コンタクトビーム２６ａ，２６ｂの駆動面５１とそれぞれ摺動可能に係合する。言い換えると、縁面７２，７４は、駆動方向Ｆに沿って（駆動面５１と係合した状態で）駆動面５１に沿って摺動する。楔６６及びコンタクトビーム２６ａ，２６ｂの摺動可能な係合は、コンタクトビーム２６ａ，２６ｂを完全閉位置から開位置までそれぞれ向きＣ，Ｄに円弧Ａ，Ｂに沿って移動させる。
【００４４】
図７は、駆動方向Ｆ（図４及び図６参照）に撓んだばね３２を示す、電気コネクタ１０の一部を断面した斜視図である。コンタクトビーム２６ａ，２６ｂは、図７では開位置で示される。図６及び図７の比較から明白であるように、ばね３２の楔６６は、各コンタクトビーム２６ａ，２６ｂの駆動面５１と摺動可能に係合し、コンタクトビーム２６ａ，２６ｂを開位置に移動させる。電気コンタクト１８が２本のコンタクトビーム２６を有する実施形態において、ばね３２の楔６６は、コンタクトビーム２６ａ，２６ｂ間に受容され、コンタクトビーム２６ａ，２６ｂを互いに離れる向きに広げる。具体的には、ばね３２の楔６６が駆動方向Ｆに沿って移動すると、楔６６及びコンタクトビーム２６ａ，２６ｂの摺動可能な係合は、コンタクトビーム２６ａ，２６ｂを互いに離れる向きに広げることによりコンタクトビーム２６ａ，２６ｂを開位置に移動させる。電気コンタクト１８が単一のコンタクトビーム２６を有する実施形態では、ばね３２の楔６６は、いずれかのコンタクトビーム２６ａ，２６ｂに対してほぼ同様な方法で単一のコンタクトビーム２６と摺動可能に係合し、単一のコンタクトビームを閉位置から開位置に移動させることを理解されたい。
【００４５】
図７に示された開位置において、電気コンタクト１８のコンタクトビーム２６ａ，２６ｂは、電線１２（図１、図８及び図９参照）が電気コンタクト１８に取り付けられるように位置する。具体的には、対応する電線１２は、対応するリセプタクル２０内へ挿入軸２４に沿って挿入すなわちポークインすることができる。電線１２がリセプタクル２０に挿入されると、電線１２は、例えば図８及び図９の比較から明白であるように、コンタクトビーム２６ａ，２６ｂのワイヤインタフェース２８ａ，２８ｂの間、及び電気コンタクト１８の楔６６及び基部３８（図２、図３及び図８参照）の間に受容される。次に、コンタクトビーム２６ａ，２６ｂは、ワイヤインタフェース２８ａ，２８ｂが電線１２と係合するように開位置から部分的な閉位置に移動し、これにより電気コンタクト１８及び電線１２間の電気接続部を構築する。具体的には、ばね３２は、ばね３２の弾性（すなわち、中立休止位置へのばね３２の付勢）がばね３２の端部６２をばね３２の中立休止位置に戻すように開放される。ばね３２が開放されるので、コンタクトビーム２６ａ，２６ｂの弾性（及びばねビーム７６によりさらに与えられる付勢）により、コンタクトビーム２６ａ，２６ｂが部分的な閉位置に移動することができる。
【００４６】
いくつかの代替の実施形態において、押しボタンアクチュエータ３０は、電線１２を電気コンタクト１８に取り付けることには用いられない。例えば、ばね３２は撓んでいない中立休止位置に位置したままであり、コンタクトビーム２６ａ，２６ｂに及ぼされる電線１２の挿入力は、電線１２がばね３２を撓ませることなくワイヤインタフェース２８ａ，２８ｂ間に捕捉されるように、完全閉位置から開位置に向かって十分な量でコンタクトビーム２６ａ，２６ｂを移動させるのに十分である。
【００４７】
図８は、電気コンタクト１８に取り付けられた電線１２を示す、電気コネクタ１０を断面した斜視図である。コンタクトビーム２６ａ，２６ｂは、図８では部分的な閉位置で示される。コンタクトビーム２６ａ，２６ｂのワイヤインタフェース２８ａ，２８ｂはそれぞれ、電線１２に電気コンタクト１８を電気接続するよう電線１２と係合する。
【００４８】
電線１２を電気コンタクト１８から取り外すために、ばね３２（図１、図４、図６、図７及び図９参照）の一端６４（図４、図６及び図７参照）は、上述したように駆動方向Ｆに撓む。図９を参照すると、図７について上述したように、ばね３２が駆動方向Ｆに十分に撓むと、楔６６は、コンタクトビーム２６ａ，２６ｂが開位置となるように、コンタクトビーム２６ａ，２６ｂと係合する。開位置において、コンタクトビーム２６ａ，２６ｂのワイヤインタフェース２８ａ，２８ｂはそれぞれ電線１２から係合解除される。コンタクトビーム２６ａ，２６ｂの開位置は、電線１２が電気コンタクト１８から取り外されることができる電気コンタクト１８の開位置を表す。具体的には、電線１２は、電線１２を電気コンタクト１８及び対応するハウジングリセプタクル２０から取り外すよう挿入軸２４に沿って引っ張られる。
【００４９】
図８を再度参照すると、電線１２が図８に示されるように電気コンタクト１８に取り付けられると、押しボタンアクチュエータ３０のばねビーム７６ａ，７６ｂはそれぞれ、電気コンタクト１８のコンタクトビーム２６ａ，２６ｂの外面４６と物理的に接触した状態で係合する。コンタクトビーム２６の開位置では、ばねビーム７６ａ，７６ｂは、それぞれ向きＩ，Ｊに沿って中立休止位置から撓んでしまっている。ばねビーム７６ａ，７６ｂの弾性（すなわち、ばねビーム７６ａ，７６ｂの中立休止位置への付勢）は、コンタクトビーム２６ａ，２６ｂを完全閉位置に付勢する。このため、ばねビーム７６ａ，７６ｂは、完全閉鎖位置へのコンタクトビーム２６ａ，２６ｂの固有の付勢を増大させ、コンタクトビーム２６ａ，２６ｂが電線１２に及ぼす保持力を増大させ、電線１２及びコンタクトビーム２６を電気的及び機械的接続状態に保持する。
【００５０】
従って、ばねビーム７６は、コンタクトビーム２６単独で提供する保持力よりも大きな保持力を電気コンタクト１８に与える。増大した保持力により、電気コンタクト１８は異なる寸法の範囲が大きい電線１２を収容することができる。また、上述したように、ばねビーム７６は、電気コンタクト１８のコンタクトビーム２６とは異なる１以上の材料から作製され、押しボタンアクチュエータ３０のばねビーム７６に電気コンタクト１８のコンタクトビーム２６より大きな引張降伏強度を与える。例えば、コンタクトビーム２６は銅で作製されるのに対し、ばねビーム７６は銅より大きな引張降伏強度を有するステンレス鋼で作製される。ばねビーム７６の大きな引張降伏強度は、コンタクトビーム２６及びばねビーム７６が同じ材料から作製される実施形態よりも大きな保持力を提供する。これにより、電気コンタクト１８は、異なる寸法の範囲が大きい電線１２を収容することができる。
【００５１】
上述したように、押しボタンアクチュエータ３０は、電気コンタクト１８とは独立した部品であることに限定されない。代わりに、押しボタンアクチュエータ３０は、電気コンタクト１８と一体に形成されてもよい。例えば、図１０及び図１１は、電気コンタクト１１８の典型的な一実施形態の斜視図である。以下に説明されるように、電気コンタクト１１８は、それと一体に形成されたばね１３２を有する押しボタンアクチュエータ１３０を具備する。
【００５２】
電気コンタクト１１８は、基部１３８と、基部１３８から延びる１本以上のコンタクトビーム１２６とを有する。コンタクトビーム１２６は、ばね１３２がコンタクトビーム１２６と摺動可能に係合する駆動面１５１を有する。コンタクトビーム１２６は、対応する電線１２（図１、図８及び図９参照）と係合することでコンタクトビーム１２６が電気コンタクト１１８及び対応する電線１２間に電気接続部を形成するよう構成されたワイヤインタフェース１２８を有する。各コンタクトビーム１２６は、本明細書では「第１」コンタクトビームや「第２」コンタクトビームと称されることがある。各ワイヤインタフェース１２８は、本明細書では「第１」ワイヤインタフェースや「第２」ワイヤインタフェースと称されることがある。
【００５３】
押しボタンアクチュエータ１３０は、電気コンタクト１１８及び押しボタンアクチュエータ１３０が一体構造を形成するように、電気コンタクト１１８の一部と一体に形成される。従って、押しボタンアクチュエータ１３０及び電気コンタクト１１８は、２部品の独立した電気コンタクト１８（図１ないし図３及び図５ないし図９参照）及び押しボタンアクチュエータ３０（図１及び図４ないし図９参照）とは異なり１部品を形成する。典型的な実施形態において、押しボタンアクチュエータ１３０は、電気コンタクト１１８の基部１３８と一体に形成される。しかし、押しボタンアクチュエータ１３０は、電気コンタクト１１８の他の部分（例えば、１本以上のコンタクトビーム１２６）と追加で又は代えて一体に形成されてもよい。
【００５４】
押しボタンアクチュエータ１３０はばね１３２を有する。ばね１３２は、基部１３８からばね１３２の一端１６４まで所定長さで外方へ延びる。典型的な実施形態において、ばね１３２の一端１６４は楔１６６を有する。楔１６６は、コンタクトビーム１２６と摺動可能に係合し、コンタクトビーム１２６を部分的な閉位置から開位置に移動させることで、対応する電線１２が電気コンタクト１１８から取り除かれすなわち取り外されるよう構成される。また、楔１６６は、コンタクトビーム１２６と摺動可能に係合し、コンタクトビーム１２６を完全な閉位置から開位置まで移動させることで、対応する電線１２が電気コンタクト１１８に取り付けることができるようにするよう構成される。ばね１３２は、本明細書では「アクチュエータ」と称されることもある。楔１６６は、電気コンタクト１１８のコンタクトビーム１２６と摺動可能に係合する駆動面１７２を有する。楔１６６は、ばね１３２の一端１６４に位置するものに限定されない。代わりに、楔１６６は、本明細書で説明されたように楔１６６が機能できるばね１３２の長さに沿った別の位置にあってもよい。
【００５５】
ばね１３２は、その中立休止位置から弾性的に撓むことができる。具体的には、ばね１３２の一端１６４は、駆動方向Ｌの円弧Ｋに沿って弾性的に撓むことができる。ばね１３２は、図１０及び図１１では中立休止位置で図示される。駆動方向Ｌのばね１３２の撓みは、係合状態でコンタクトビーム１２６に沿ってばね１３２の楔１６６と摺動する。言い換えると、楔１６６及びコンタクトビーム１２６は、ばねの一端１６４が駆動方向Ｌに撓むと、互いに摺動可能に係合する。
【００５６】
典型的な実施形態において、ばね１３２の楔１６６の駆動面１７２は、ばね１３２が図１０及び図１１に見られるように中立休止位置に位置するとコンタクトビーム１２６の駆動面１５１との物理的接触から係合解除される。或いは、楔１６６の駆動面１７２は、ばね１３２が中立休止位置に位置するとコンタクトビーム１２６の駆動面１５１と物理的接触状態で係合する。
【００５７】
ばね１３２は押しボタン１３４を有する。押しボタン１３４は、駆動方向Ｌにばね１３２を撓ませることでコンタクトビーム１２６に沿ってばね１３２と摺動するのに用いることができる。押しボタン１３４は、本明細書で説明されたように押しボタン１３４が機能できるばね１３２の長さに沿った別の位置にあってもよい。いくつかの実施形態において、押しボタン１３４やハウジング１６（図１及び図５ないし図９参照）の窓３６（図１参照）は、押しボタン１３４を押して駆動方向Ｌにばね１３２を撓めるために特殊専用工具を必要としないように、構成される（例えば、寸法、形状、位置等が設定される）。例えば、使用者は、従来の工具（例えば、鉛筆、ペン、ワイヤ、棒等）、体の一部（例えば、人の指、親指等）等を用いて押しボタン１３４を押すことでばね１３２を撓める。
【００５８】
押しボタンアクチュエータ１３０及び電気コンタクト１１８の残余部分はそれぞれ、銅、金、銀、アルミニウム、ニッケル、プラチナ等の任意の材料から作製されるが、これらに限定されない。任意であるが、押しボタンアクチュエータ１３０や電気コンタクト１１８の別の部分は、１以上の異なる材料でコーティング（例えばめっき等）された基材（図示せず）を有してもよい。押しボタンアクチュエータ１３０のばね１３２や他の部分を１以上の金属材料から作製することは、半田リフロー作業の際に熱によるばね１３２の損傷を防止することを容易にする。
【００５９】
コンタクトビームを完全閉位置及び部分的に閉位置から開位置に移動させる押しボタンアクチュエータ１３０の操作は、押しボタンアクチュエータ３０の操作と同様であるので、ここでは詳細に説明しない。
【００６０】
本明細書で説明された実施形態は、電線から係合解除できるワイヤインタフェースを有する電気コンタクトを提供する。本明細書で説明された実施形態は、電線や電気コンタクトに損傷を与えることなく、電線をリセプタクルに挿入され取り外すことができる電気コンタクトを提供する。本明細書で説明された実施形態は、少なくともいくつかの公知の電気コンタクトよりも大きな範囲の異なる寸法の電線を収容できる電気コンタクトを提供する。
【００６１】
本明細書で説明された実施形態は、電気コンタクトから電線を解放するアクチュエータを有する電気コンタクトを提供する。ここで、アクチュエータは、特殊専用工具を用いることなく電線を解放するよう駆動できる。本明細書で説明された実施形態は、電気コンタクトから電線を解放するアクチュエータを有する電気コンタクトを提供する。ここで、アクチュエータは、従来の工具（例えば、鉛筆、ペン、ワイヤ、棒等）、体の一部（例えば、人の指、親指等）等を用いて駆動することができる。
【００６２】
本明細書で説明された実施形態は、電気コンタクトから電線を解放するアクチュエータを有する電気コンタクトを提供する。ここで、アクチュエータは、少なくともいくつかの公知の電気コンタクトよりも熱にさらされる際に損傷し難い。例えば、アクチュエータは、非金属材料（例えばプラスチック）で作製されたアクチュエータよりも熱にさらされる際に損傷し難い。
【符号の説明】
【００６３】
１０    電気コネクタ
１２    電線
１６    ハウジング
１８    電気コンタクト
２０    リセプタクル
２４    挿入軸
２６    コンタクトビーム
２６ａ  第１コンタクトビーム
２６ｂ  第２コンタクトビーム
２８    ワイヤインタフェース
２８ａ  第１ワイヤインタフェース
２８ｂ  第２ワイヤインタフェース
３０    押しボタンアクチュエータ
３２    ばね
３４    押しボタン
３６    窓
４４    内面（電線側）
４６    外面（反対側）
５１    駆動面（縁）
６６    楔
７２    縁面（駆動面）
７４    縁面（駆動面）
７６    ばねビーム
７６ａ  第１ばねビーム
７６ｂ  第２ばねビーム
１１０  電気コネクタ
１１８  電気コンタクト
１３０  押しボタンアクチュエータ
１３２  ばね
【図１】
2014165181.tif 000003
【図２】
2014165181.tif 000004
【図３】
2014165181.tif 000005
【図４】
2014165181.tif 000006
【図５】
2014165181.tif 000007
【図６】
2014165181.tif 000008
【図７】
2014165181.tif 000009
【図８】
2014165181.tif 000010
【図９】
2014165181.tif 000011
【図１０】
2014165181.tif 000012
【図１１】
2014165181.tif 000013